(57)【要約】【課題】刃の移動を容易に防止することが出来るカッターナイフを提供すること。【解決手段】刃１０はナイフ刻線１２のそれぞれの付近に開口部１４を有する。ナイフ鞘２０の底面には、開口部１２と係合され得るように上端が円錐形であるストッパー片４４と、ストッパー片４４を上下に運動させることができるスライディング片４６と、スライディング片４６の移動を案内する案内溝２６を設ける。【選択図】　　図２
2004000319.tif 000002
【特許請求の範囲】
【請求項１】
均一な間隔で互いに平行に形成された複数の刻線（１２）を備えた刃（１０）と、上記刃（１０）の一端に連結されたスライダー（３０）と、上記スライダー（３０）が進退されるように上面に案内路（２２）を備えたナイフ鞘（２０）とを含むステップ式スライド型カッターナイフ（１００）において、
上記刻線（１２）のそれぞれの付近に開口部（１４）を形成させ、上記ナイフ鞘（２０）の底面に下向偏向力を有する弾性片（４２）の基端部を付着させ、該弾性片（４２）の先端部に上記開口部（１４）中の一つと係合されるように上端に突起部（４４ｄ）を備えたストッパー片（４４）を形成させ、上記ストッパー片（４４）を上下に運動させ得るスライディング片（４６）を上記ナイフ鞘（２０）の底面の案内溝（２６）に前後に進退可能に挿設させ、上記スライディング片（４６）および上記ストッパー片（４４）のそれぞれには、前進時に互いに滑りながら面接触されるように形成された傾斜面（４６ｃ、４４ｃ）と前進完了時に上記弾性片４２の弾性力によって互いに加圧される平面（４６ｂ、４４ｂ）とを備えることを特徴とするステップ式スライド型カッターナイフ。
【請求項２】
上記弾性片（４２）は屈曲部を有することを特徴とする請求項１に記載のステップ式スライド型カッターナイフ。
【請求項３】
上記案内溝（２６）は上記ナイフ鞘（２０）の末端付近に形成されることを特徴とする請求項１に記載のステップ式スライド型カッターナイフ。
【請求項４】
上記ストッパー片（４４）の突起部（４４ｄ）は円錐形からなることを特徴とする請求項１に記載のステップ式スライド型カッターナイフ。
【請求項５】
上記ナイフ鞘（２０）の末端で刃（１０）を支持する末端支持部（２５）の長さが減少されることを特徴とする請求項１に記載のステップ式スライド型カッターナイフ。
【発明の詳細な説明】
【０００１】
【発明の属する技術分野】
本発明はステップ式スライド型カッターナイフに関するものであり、より詳しくは切断作業中刃の後退を防止するステップ式スライド型カッターナイフに関するものである。
【０００２】
【従来の技術】
従来のステップ式スライド型カッターナイフは、それぞれの節が切断出来るように、同じ間隔で互いに平行に形成された複数の刻線を備えた刃と、刃を囲んだまま長手方向に長く開放されている案内路を備えたナイフ鞘を備え、刃の末端にはスライダーが連結されている。該ナイフ鞘に形成された案内路には一定ピッチを有する鋸歯部が形成されており、スライダーの側面には鋸歯部と係合されるように該鋸歯部に相応する弾性片が挿入されている。
【０００３】
このようなカッターナイフは、スライダーを押し、引き寄せる操作によって刃が前後に移動されることが可能であり、波形鋸歯部と弾性片との係合によって刃が停止され得る。
【０００４】
【発明が解決しようとする課題】
しかし、従来のカッターナイフでは、切断作業時、スライダーの弾性片と鋸歯部との係合力以上の力が作用すると、意図せず刃が後退されることがある。これに因り、切断作業が完全に行われなかったり、作業者が傷付く等の問題点があった。
【０００５】
そこで、刃の一部が切断作業のためナイフ鞘から抜け出されたとき、刃の後退を防止するようにスライダーにネジ締結具を備えたネジ固定型カッターナイフが知られている。
【０００６】
しかし、このようなネジ固定型カッターナイフは、刃を固定または解除するとき、ネジ締結具を一々回転しなければならないので、作業時間が長く面倒であるという問題点があった。
【０００７】
本発明は上記のような問題点を解結するために案出されたものであって、切断作業中刃が後退されることを容易に防止することが出来るステップ式スライド型カッターナイフを提供することをその目的とする。
【０００８】
【課題を解決するための手段】
本発明によるステップ式スライド型カッターナイフは、同じ間隔で互いに平行に形成された複数の刻線を備えた刃と、上記刃の一端に固定されたスライダーと、上記スライダーが進退されられるように上面に案内路を備えたナイフ鞘を含み、上記刻線のそれぞれの付近に開口部を形成させ、上記ナイフ鞘の底面に下向偏向力を有する弾性片の基端部を付着させ、該弾性片の先端部に上記開口部中の一つと係合できるように上端に突起部を備えたストッパー片を形成させ、上記ストッパー片を上下に運動させられるスライディング片を上記ナイフ鞘底面の案内溝に前後に進退可能に挿設させ、上記スライディング片および上記ストッパー片のそれぞれには前進時、互いに滑りながら面接触されるように形成された傾斜面と前進完了時、上記弾性片の弾性力によって互いに加圧される平面を備えることによりなることを特徴とする。
【０００９】
【発明の実施の形態】
以下、添付された図面を参照して本発明の好ましき実施例を詳しく説明する。
図１は刃の刻線付近に本発明による開口部１４を備えたステップ式スライド型カッターナイフ１００を示した斜視図であって、ステップ式スライド型カッターナイフ１００は刃１０、ナイフ鞘２０、スライダー３０、蓋５０および刃１０の後退を遮断するロック手段４０（図２および図３参照）からなる。
【００１０】
刃１０は同じ間隔で互いに平行に形成された複数の刻線（切断線）１２および刻線１２のそれぞれの付近に形成された係止開口部１４を備え、刃１０はその末端でスライダー３０のピンに結合されている。
【００１１】
ここで、スライダー３０はステップ式スライド型カッターナイフに一般的に利用されるものであり、刃１０はナイフ鞘２０の案内路２２に沿ってスライディングされるスライダー３０の前後移動によりナイフ鞘２０内外に移動され得る。
【００１２】
尚、図１には案内路２２がスライダー３０の弾性片（未図示）と係合される一定ピッチの鋸歯部２４を側面に備えており、スライダー３０と鋸歯部２４との係合により刃１０がステップ式にスライディングされることが示されているが、これは一実施例であり、刃１０のスライディング移動は弾性片と鋸歯部２４との係合でない他の方法によっても達成できることは勿論である。
【００１３】
ナイフ鞘２０の末端における底面には、図２ないし図４に示されたように、スロット形の案内溝２６が形成されている。
次に、図２ないし図４を参照してナイフ鞘２０の末端部近くに設けられ、刃１０の移動を防止するロック手段４０について詳しく説明する。
【００１４】
図２ないし図４に示されたように、ロック手段４０は案内溝２６に挿設されかつ案内溝２６に沿ってスライディングされるようにスライディング溝４６ａを備えたスライディング片４６と、基端部が案内溝２６の直ぐ後側のナイフ鞘底面に付着され、案内溝２６の全長に亙って案内溝２６上に延びている弾性片４２と、弾性片４２の先端部で弾性片４２と一体に形成されたストッパー片４４とを含み、ストッパー片４４の上部には刃１０の係止開口部１４と係合される円錐形の突起部４４ｄが形成されている。
【００１５】
ここで、弾性片４２は適切な下向偏向力を有するように、弾性片４２の基端部からストッパー片４４まで湾曲され、かつ屈曲されることが好ましい。また、ストッパー片４４およびこれと一体の弾性片４２は弾性力が大きいプラスチック素材であることが好ましい。
【００１６】
スライディング片４６はナイフ鞘２０の底面と平行をなす第１平面４６ｂを上端に備え、第１平面４６ｂからスライディング片４６の下側に向かって所定角度に傾斜された第１傾斜面４６ｃとを備える。
【００１７】
ストッパー片４４はスライディング片４６が前進するときスライディング片４６の第１傾斜面４６ｃと滑り式で面接触可能な２傾斜面４４ｃを下部に備え、スライディング片４６が案内溝２６の前端まで前進されたとき（図３）、第１平面４６ｂに面接触する第２平面４４ｂとを下端に備え、上記ストッパー片４４が上死点に到達したとき刃１０に形成された複数の開口部１４中の一つに係合される円錐形突起部４４ｄを上端に備える。突起部４４ｄが円錐形をなすので刃１０に形成された開口部１４のサイズおよび形状に関わりなく開口部１４に係止することが出来るが、開口部１４は突起部４４ｄに容易に係止されるようにスロット形であることが好ましい。
【００１８】
上述の構成によって、スライディング片４６が図２に示された後退位置から図３に示された係合位置まで前進するとき、スライディング片４６の第１傾斜面４６ｃとストッパー片４４の第２傾斜面４４ｃとの面摺接によって、ストッパー片４４は刃１０に向かって押し上げられ、スライディング片４６のスライディング前進が終わるとき、ストッパー片４４はスライディング片４６上に好ましく安着される。このように、ストッパー片４４がスライディング片４６上に安着され上死点に配置された状態で、ストッパー片４４上端の突起部４４ｄは刃１０の開口部１４に係合される。
【００１９】
ストッパー片４４が弾性片４２の下向偏向力によってスライディング片４６を加圧するので、スライディング片４６は完全に前進された位置で動くことなく固定され得る。
【００２０】
ストッパー片４４はナイフ鞘２０の末端付近で刃１０を補助的に支持する。このため、従来のカッターナイフではナイフ鞘から刃突出方向を向かって延長されて切断作業中の刃を支持するための末端支持部は比較的長かったが、本実施形態のカッターナイフ１００では、ナイフ鞘２０から突出する末端支持部２５の長さが減少されることを可能である。その結果、ナイフ鞘２０の末端から更に長く刃１０が露出され得るので、不必要な刃１０の浪費が大きく減らすことが出来る。
【００２１】
以上において説明した本発明は、本発明が属する技術分野で通常の知識を有する者において本発明の技術的思想を外れない範囲内で種種の置換、変形および変更が可能であるので、前述の実施例および添付の図面に限定されるものではない。
【００２２】
【発明の効果】本発明によるカッターナイフ１００は切断作業中に刃１０の後退が簡単な操作によって防止することができ、不必要な刃の浪費が減少され経済的に有利な効果があり、これとともに刃１０には開口部１４が切断線１２付近に形成されているので、刃１０の節切断が容易に行われ意図しなかった刃の破損を防止できる効果を有する。
【図面の簡単な説明】
【図１】本発明の実施例によるステップ式スライド型カッターナイフの斜視図。
【図２】図１のステップ式スライド型カッターナイフに備えられたロック手段を示す図１の線Ａ−Ａに沿った断面図。
【図３】図２のロック手段が刃をロックした状態を示す断面図。
【図４】図１のカッターナイフの背面図。
【符号の説明】
１０…刃、１４…開口部、２０…ナイフ鞘、２２…案内路、２６…案内溝、３０…スライダー、４２…弾性片、４４…ストッパー片、４４ｄ…突起部、４６…スライディング片、４６ｃ、４４ｃ…傾斜面、４６ｂ、４４ｂ…平面、１００…カッターナイフ。
【図１】
2004000319.tif 000003
【図２】
2004000319.tif 000004
【図３】
2004000319.tif 000005
【図４】
2004000319.tif 000006